(57)【要約】【課題】収納姿勢のガイドレール５が、シャッターカーテン１が下降することに連動して垂下するものにおいて、座板１２が貫通する切欠き部６ｂを、ガイドレール５をスライド移動する塞ぎ体１３が座板に食い込まない状態で閉鎖するようにする。【解決手段】切欠き部６ｂを塞ぐものを、切欠き部６ｂを塞ぐ位置から座板前後方向両端面部１２ｄに当接する開放位置に揺動する可動片１４ｄとし、該可動片１４ｄを、可動片１４ｄが座板と共に下動する際に前後方向両端面部１２ｄに当接するときの摺動抵抗を受けて開放位置に拡開揺動するようにし、切欠き部６ｂに設けた段差凸部６ｃに可動片１４が当接することで塞ぎ体１３の下動停止をして前後方向両端面部１２ｄとの当接を解除し、これにより可動片１４ｄが塞ぎ位置に変姿をし、合わせて可動体１４ｄの前後方向両端面部１２ｄとの当接解除をし塞ぎ体１３が下動するようにした。【選択図】図９
2015190225.tif 000002
【特許請求の範囲】
【請求項１】
天井収納部に巻装され、下端部に座板が設けられて開口を閉鎖するシャッターカーテンを案内するためのガイドレールを、基端部を天井部に揺動自在に軸支し、先端側に座板が左右方向に貫通する貫通用の切欠き部を形成して、シャッターカーテンの開閉作動に伴う座板の上下移動に基づいて天井部に収納される水平姿勢と天井部から垂下する垂下姿勢とのあいだを揺動変姿するように構成すると共に、
ガイドレールに、該ガイドレールが垂下姿勢に変姿することに連動して座板と共に下動して垂下姿勢になったガイドレールの切欠き部を塞ぐための塞ぎ体を設けるにあたり、
該塞ぎ体に、切欠き部を塞ぐ塞ぎ姿勢から開口左右方向内方に拡開して座板に前後方向外側から当接する開放姿勢まで揺動できる可動片と、該可動片を塞ぎ姿勢側に向けて付勢する弾機とを設ける一方、
座板と可動片とのあいだには、座板が塞ぎ体と共に下動する過程で可動片を弾機付勢力に抗して前記開放姿勢まで案内して該可動片を座板に前後方向外側から当接せしめて可動片の塞ぎ姿勢への復帰を規制するための案内部が設けられ、
塞ぎ体には、前記開放姿勢の可動片に当接することで塞ぎ体の下動を規制して可動片の座板への当接を解除せしめることで可動片の塞ぎ姿勢への復帰を行わせると共に、該復帰に伴い前記塞ぎ体の下動規制を解除して塞ぎ体が切欠き部を塞ぐための下動を行わせるための解除部が設けられていることを特徴とする建築用防火シャッター装置。
【請求項２】
可動片の開放姿勢から塞ぎ姿勢への揺動は、該可動片の揺動支軸を越えた揺動であることを特徴とする請求項１記載の建築用防火シャッター装置。
【請求項３】
解除部は、塞ぎ体をカバーするカバー体に設けられていることを特徴とする請求項１または２記載の建築用防火シャッター装置。
【請求項４】
カバー体は、塞ぎ体を挟む状態でガイドレール内側面と対向する内側板を有し、開放姿勢の可動片の下動を許容する該内側板のシャッターカーテン側端縁には、開放姿勢の可動片に当接して塞ぎ体の下動を規制する解除部としての段差凸部が設けられていることを特徴とする請求項３記載の建築用防火シャッター装置。
【請求項５】
可動片の上端部には、該可動片が塞ぎ姿勢となったときに切欠き部よりも上部位置のシャッターカーテン内側面との隙間を塞ぐ塞ぎ板が設けられていることを特徴とする請求項１乃至４の何れか１記載の建築用防火シャッター装置。
【請求項６】
可動片の案内部は、座板の前後方向両端面部の上端縁であり、可動片が開放姿勢になったとき前後方向外方から当接する部位は、座板の前後方向両端面部であることを特徴とする請求項１乃至５の何れか１記載の建築用防火シャッター装置。
【請求項７】
可動片は、揺動支軸からシャッターカーテンのカーテン面に対して垂直状に延設される第一案内部と、該第一案内部の先端から先端側ほどガイドレール側に向けて傾斜する第二案内部とを備えて構成され、可動片が塞ぎ姿勢から開放姿勢に変姿する過程の前半では第一案内部が、後半では第二案内部が座板前後方向両端面部に当接することで案内されるように構成されていることを特徴とする請求項６記載の建築用防火シャッター装置。
【発明の詳細な説明】
【技術分野】
【０００１】
本発明は、ビル、工場等の建築物の開口部や大部屋、地下通路等に防火、防煙区画を設けたりするための建築用防火シャッター装置の技術分野に関するものである。
【背景技術】
【０００２】
一般に、ビルや工場等の開口部や大部屋等には、火災等の異常時において延焼を防止するため防火区画を設定し、被害の拡大を抑えるようにすることが計られる。そしてこのようなものとして、建築用防火シャッターを建付けることが提唱されるが、幅広の間口においては、一連ではなく複数連のシャッターカーテンを並設することがあり、この場合に、中柱状のガイドレールが必要になるが、このガイドレールを固定式にしたのでは、平常時（シャッターカーテン開放時）に邪魔になるという問題があり、そこで、ガイドレールの基端部（上端部）を躯体天井部に回動自在に支持して、シャッターカーテンの開閉作動に連動して上下揺動する構成として、シャッターカーテンの閉鎖時では開口部に直立状に立設される垂下姿勢とし、開放時では天井部に水平状に収納される水平姿勢となるよう可動式にしたものが知られている。
この場合に、座板当接部材をガイドレール先端縁部よりは基端側に設け、座板との当接がシャッターカーテンの閉鎖過程の途中までとなるようにし、それ以降は、基端部がガイドレールに揺動自在に軸支され、先端部が座板に設けたストッパに当接して傾斜姿勢となる作動体により下方への揺動をコントロールすることが提唱される。ところが、このように構成した場合、ガイドレールの先端部、つまり座板当接部材配設位置より先端側のガイドレールには、シャッターカーテンのカーテン面だけでなく座板を貫通する切欠き部を設ける必要があるが、シャッターカーテンの全閉時、この切欠き部が内外連通状態となって防火、防煙性能が損なわれるという問題が生じる。
そこでこれに対処するべく、ガイドレールの先端側に、レール長方向にスライド移動して切欠き部を開閉する塞ぎ体を設けるようにしたものが知られている（特許文献１参照）。
【先行技術文献】
【特許文献】
【０００３】
【特許文献１】特許第３８９６４１４号公報
【発明の概要】
【発明が解決しようとする課題】
【０００４】
前記従来のものは、塞ぎ体がスライド移動するものであるため、切欠き部の円滑な開閉ができるという利点はあるが、ガイドレールが傾斜状態で塞ぎ体がスライド移動するものであるため、スライドレールの製作誤差や施工時の調整等によっては、塞ぎ体の切欠き部を塞ぐ部位の先端部が座板に食い込むように当たって突っ張ったり引っ掛かったりする可能性が考えられ、これらに本発明が解決せんとする課題がある。
【課題を解決するための手段】
【０００５】
本発明は、上記の如き実情に鑑み、これらの課題を解決することを目的として創作されたものであって、請求項１の発明は、天井収納部に巻装され、下端部に座板が設けられて開口を閉鎖するシャッターカーテンを案内するためのガイドレールを、基端部を天井部に揺動自在に軸支し、先端側に座板が左右方向に貫通する貫通用の切欠き部を形成して、シャッターカーテンの開閉作動に伴う座板の上下移動に基づいて天井部に収納される水平姿勢と天井部から垂下する垂下姿勢とのあいだを揺動変姿するように構成すると共に、ガイドレールに、該ガイドレールが垂下姿勢に変姿することに連動して座板と共に下動して垂下姿勢になったガイドレールの切欠き部を塞ぐための塞ぎ体を設けるにあたり、該塞ぎ体に、切欠き部を塞ぐ塞ぎ姿勢から開口左右方向内方に拡開して座板に前後方向外側から当接する開放姿勢まで揺動できる可動片と、該可動片を塞ぎ姿勢側に向けて付勢する弾機とを設ける一方、座板と可動片とのあいだには、座板が塞ぎ体と共に下動する過程で可動片を弾機付勢力に抗して前記開放姿勢まで案内して該可動片を座板に前後方向外側から当接せしめて可動片の塞ぎ姿勢への復帰を規制するための案内部が設けられ、塞ぎ体には、前記開放姿勢の可動片に当接することで塞ぎ体の下動を規制して可動片の座板への当接を解除せしめることで可動片の塞ぎ姿勢への復帰を行わせると共に、該復帰に伴い前記塞ぎ体の下動規制を解除して塞ぎ体が切欠き部を塞ぐための下動を行わせるための解除部が設けられていることを特徴とする建築用防火シャッター装置である。
請求項２の発明は、可動片の開放姿勢から塞ぎ姿勢への揺動は、該可動片の揺動支軸を越えた揺動であることを特徴とする請求項１記載の建築用防火シャッター装置である。
請求項３の発明は、解除部は、塞ぎ体をカバーするカバー体に設けられていることを特徴とする請求項１または２記載の建築用防火シャッター装置である。
請求項４の発明は、カバー体は、塞ぎ体を挟む状態でガイドレール内側面と対向する内側板を有し、開放姿勢の可動片の下動を許容する該内側板のシャッターカーテン側端縁には、開放姿勢の可動片に当接して塞ぎ体の下動を規制する解除部としての段差凸部が設けられていることを特徴とする請求項３記載の建築用防火シャッター装置である。
請求項５の発明は、可動片の上端部には、該可動片が塞ぎ姿勢となったときに切欠き部よりも上部位置のシャッターカーテン内側面との隙間を塞ぐ塞ぎ板が設けられていることを特徴とする請求項１乃至４の何れか１記載の建築用防火シャッター装置である。
請求項６の発明は、可動片の案内部は、座板の前後方向両端面部の上端縁であり、可動片が開放姿勢になったとき前後方向外方から当接する部位は、座板の前後方向両端面部であることを特徴とする請求項１乃至５の何れか１記載の建築用防火シャッター装置である。
請求項７の発明は、可動片は、揺動支軸からシャッターカーテンのカーテン面に対して垂直状に延設される第一案内部と、該第一案内部の先端から先端側ほどガイドレール側に向けて傾斜する第二案内部とを備えて構成され、可動片が塞ぎ姿勢から開放姿勢に変姿する過程の前半では第一案内部が、後半では第二案内部が座板前後方向両端面部に当接することで案内されるように構成されていることを特徴とする請求項６記載の建築用防火シャッター装置である。
【発明の効果】
【０００６】
請求項１の発明とすることにより、塞ぎ体に設けられる可動片がガイドレールに設けられる切欠き部を塞ぐことになるが、座板が塞ぎ体と共に下動する際に、可動片は、案内部により座板に前後方向外側から当接する開放姿勢に維持されるため可動片が座板に食い込むようなことがなく、そして開放姿勢の可動片が座板と共に下動して解除部に当接すると、塞ぎ体の下動規制がなされて座板のみが下動し、これによって可動片は塞ぎ姿勢に復帰すると共に塞ぎ体は下動して切欠き部を塞ぐことになって、塞ぎ体による確実な切欠き部の塞ぎができる。
請求項２の発明とすることにより、切欠き部を塞ぐための可動片は、塞ぎ姿勢となったときに支点越え状態となる結果、開放姿勢側への揺動がしづらくなって、切欠き部の塞ぎ機能が向上する。
請求項３の発明とすることにより、カバー体により塞ぎ体をカバーできることになって外観を損なうことがない。
請求項４の発明とすることにより、塞ぎ体をカバーするカバー体に解除部である段差凸部が設けられることになって構造の簡略化が図れることになる。
請求項５の発明とすることにより、シャッターカーテンの全閉時において切欠き部よりも上部位置のシャッターカーテン内側面と可動片とのあいだの隙間が塞がれることになって、遮蔽性の良いものとなる。
請求項６の発明とすることにより、座板の前後方向両端面部が可動片の案内部及び可動片の当接部となるため、構造の簡略化が図れることになる。
請求項７の発明とすることにより、可動片を塞ぎ姿勢から開放姿勢まで確実に変姿案内することができる。
【図面の簡単な説明】
【０００７】
【図１】建築用防火シャッター装置の概略正面図である。
【図２】シャッターカーテンが全閉した状態を示す側面図である。
【図３】塞ぎ体の閉鎖途中を示す側面図である。
【図４】シャッターカーテンが全閉した状態を示す要部拡大正面図である。
【図５】シャッターカーテンが全閉した状態を示す要部拡大側面図である。
【図６】（Ａ）、（Ｂ）はシャッターカーテンが全閉した状態を示すガイドレール部の切欠き部よりも上位部位の水平断面図、座板部位の水平断面図である。
【図７】（Ａ）、（Ｂ）、（Ｃ）、（Ｄ）は座板部位の要部平面図、要部正面図、（Ｂ）のＸ−Ｘ断面図、（Ｂ）のＹ−Ｙ断面図である。
【図８】（Ａ）、（Ｂ）は塞ぎ体の分解図、断面図である。
【図９】（Ａ）〜（Ｆ）はシャッターカーテンが下動する際の座板、ガイドレール、塞ぎ体の下動状態を正面から見た作用説明図である。
【図１０】（Ａ）（Ｂ）はシャッターカーテンが下動する前半過程の座板、ガイドレール、塞ぎ体の下動状態を平面から見た拡大作用説明図である。
【図１１】（Ａ）（Ｂ）はシャッターカーテンが下動する後半過程の座板、ガイドレール、塞ぎ体の下動状態を平面から見た拡大作用説明図である。
【図１２】（Ａ）（Ｂ）はシャッターカーテンが下動する前半過程の座板、ガイドレール、可動片の下動状態を側面から見た拡大作用説明図である。
【図１３】（Ａ）〜（Ｃ）はシャッターカーテンが下動する後半過程の座板、ガイドレール、可動片の下動状態を側面から見た拡大作用説明図である。
【発明を実施するための形態】
【０００８】
次に、本発明の実施の形態を図面に基づいて説明する。図面において、１は大開口部に複数連設された防火シャッター用のシャッターカーテンであって、各シャッターカーテン１は、天井部に固定されるブラケット２を介して躯体側に軸承された巻取り軸３に巻装されており、該巻取り軸３がブレーキ付の開閉機４の正逆駆動に基づいて正逆回転することに伴いシャッターカーテン１が巻取り、巻出しされることで開口部を閉鎖する閉鎖姿勢と天井部に収納される開放姿勢とに変姿するように設定されている。因みに、これらシャッターカーテン１は、図示しない操作スイッチの操作に基づいて開閉するが、シャッターカーテン１の開放姿勢において火災等が発生した異常時に、異常検知手段の異常検知に伴いブレーキ解除がなされると共に開閉機４に内装するガバナの働きでシャッターカーテン１が自重閉鎖するように設定されている。尚、３ａは中間ドラムであって、該中間ドラム３ａは、巻取り軸３とマグサとのあいだのシャッターカーテン１の移動案内を行う設定となっている。
【０００９】
５は各シャッターカーテン１を貫通ガイドするガイドレールであって、これら各ガイドレール５は、所定の対向間隔を存して対向する前後一対のガイド体６、７を用いて構成されているが、各ガイド体６、７は、基端部（上端部）を貫通支持する支軸８によって連結され、該支軸８が前記ブラケット２に揺動自在に軸支されており、これによって、ガイドレール５はブラケット２に対して一体揺動し、天井部に収納される水平姿勢と、先端部（下端部）が自然垂下する垂下姿勢とに揺動変姿する可動式に構成されている。
【００１０】
前記各ガイド体６、７の互いに対向する前後側面の先端部には、前記座板当接部に相当する支持ローラ９がそれぞれピン９ａを介して回動自在に軸承されているが、これら各ピン９ａには、さらに作動アーム１０の基端部がそれぞれ揺動自在に軸承されている。尚、１１は各作動アーム１０の先端部にローラ１１ａを介して上下移動自在にガイドされる補助体である。
【００１１】
一方、１２はシャッターカーテン１の最下端に設けられる座板であって、該座板１２は、前後に一対のローラガイド１２ａが形成されており、該各ローラガイド１２ａに、各ガイド体６、７の支持ローラ９と補助体１１とが移動自在に転動する状態で支持される設定となっている。これによって、ガイドレール５は、開閉作動するシャッターカーテン１の移動に伴い、座板１２に支持される状態で、シャッターカーテン１を貫通ガイドしつつ揺動変姿するが、このことについての詳細は後述する。さらに、座板ローラガイド１２ａの左右両端縁部にはストッパ部１２ｂが起立状に形成されており、補助体１１の外方への移動規制を行うように設定されている。さらに、ストッパ部１２ｂに至るローラガイド１２ａには、山形状に傾斜した傾斜ガイド１２ｃが設けられており、ローラガイド１２ａの前後方向両端面部１２ｄは起立した面部を有している。
【００１２】
前記各ガイド体６、７の内側面６ａ、７ａ同志の対向間隔はシャッターカーテン１のカーテン面が貫通できるものに設定されているが、さらに、内側面６ａ、７ａの先端側（下端側）、つまり支持ローラ９の軸承部位より僅かにガイド体基端側に位置ずれした部位から先端縁部に至る部位には切欠き部６ｂ、７ｂが形成されていて内側面６ａ、７ａ同志の対向間隔を大きくして、座板１２がガイド体６、７のあいだを貫通可能となるように設定されている。さらに、これら切欠き部６ｂ、７ｂには、レール長方向に往復スライド移動自在な塞ぎ体１３がそれぞれ開閉自在に設けられ、シャッターカーテン１が全閉状態となった状態では、切欠き部６ｂ、７ｂが閉鎖されて、ガイドレール５の内側とシャッターカーテン１とのあいだに大きな空隙が開かない構成となっている。
【００１３】
前記塞ぎ体１３は、前記シャッターカーテン1が閉鎖した状態のガイド体切欠き部６ｂ、７ｂを塞ぐものであるが、該塞ぎ体１３は、ガイド体内側面６ａ、７ａにビス１３ｅを介して固定される外側スライドレール１３ａと、該外側スライドレール１３ａの内側に配設される内側スライドレール１３ｂと、両スライドレール１３ａ、１３ｂ間に配したボール１３ｃと、該ボール１３ｃを支持するリテーナ１３ｄと、外側スライドレール１３ａを外嵌するカバー部材１３ｆとを備え、前記リテーナ１３ｄの外側スライドレール１３ａに対する移動と、内側スライドレール１３ｂのリテーナ１３ｄに対する移動とが同時に行われることによって、内側スライドレール１３ｂと外側スライドレール１３ａとの往復相対移動が円滑かつ速やかになされる構成になっている。
【００１４】
さらに塞ぎ体１３は、内側スライドレール１３ｂに取付けられる塞ぎパネル体１４を備えて構成されるが、該塞ぎパネル体１４は、ビス１３ｇを介して内側スライドレール１３ｂに固定される固定片１４ａと、該固定片１４ａに固定される当て板１４ｂと、該当て板１４ｂに一片が固定された蝶番１４ｃを介して切欠き部６ｂ、７ｂを塞ぐ塞ぎ姿勢から切欠き部６ｂ、７ｂから離間する離間姿勢に至るよう揺動自在に支持される可動片１４ｄと、該可動片１４ｄを切欠き部６ｂ、７ｂ側に向けて付勢する弾機１４ｅと、シャッターカーテン１に弾圧状に当接して遮煙をするゴム質弾性を有した遮煙体１４ｆとを備えて構成されている。
１３ｈは塞ぎ体１３を被覆するカバー体であって、該カバー体１３ｈは、シャッターカーテン１側が開口し、ビス１３ｉによりガイド体６、７に固定され、ガイドレール内側面６ａ、７ａとカバー体内側板１３ｊとのあいだに前記塞ぎ体１３が介装されるようになっているが、カバー体内側板１３ｊのシャッターカーテン１側端縁１３ｋは、蝶番支軸１４ｇと前後方向同位置となるように設定され、さらに該端縁１３ｋの下端部にはシャッターカーテン１側に向けて突出した段差凸部１３ｌが蝶番支軸１４ｇよりもシャッターカーテン１側に向けて突出形成されている。
そして塞ぎパネル体１４の可動片１４ｄは、蝶番支軸１４ｇが固定片１４ａ上に位置することで、シャッターカーテン１に直角状に対向して切欠き部６ｂ、７ｂを塞ぐ塞ぎ姿勢から開口左右方向内側（間口内方）に拡開して切欠き部６ｂ、７ｂに対して離間して拡開する開放姿勢とのあいだを揺動できるようになっているが、可動片１４ｄは、該塞ぎ姿勢で蝶番支軸１４ｇに対してガイドレール５嵌入側に偏倚した構成となっているため、蝶番支軸１４ｇに対して丁度支点越え状態となって拡開方向への揺動がしづらくなるよう配慮されている。
さらに可動片１４ｄには、前記塞ぎ姿勢となったとき、支軸１４ｇ部位シャッターカーテン１のカーテン面に対して垂直状に延出する第一案内部１４ｈと、該第一案内部１４ｈの先端から先端側ほどガイドレール５側に傾斜した第二案内部１４ｉと、該第二案内部１４ｊの先端からシャッターカーテン１のカーテン面に垂直に向くよう延出している第一対向部１４ｊと、該第一対向部１４ｊの先端からシャッターカーテン１と平行になるように折曲されてシャッターカーテン１に対向する第二対向部１４ｋとが設けられている。
【００１５】
つぎに、シャッターカーテン１の開閉作動に伴うガイドレール５の揺動変姿作動、並びに塞ぎ体１３、塞ぎパネル体１４の作動について説明する。ここでは塞ぎ体１３、塞ぎパネル体１４の作動について主に説明をし、他の部材の作動については前記特許文献１の該当部分の記載を援用する。
シャッターカーテン１の収納状態（開放状態）において、座板１２およびガイドレール５は天井部に収容されているが、このとき塞ぎ体１３は、ガイドレール５先端側への移動が、座板１２に設けたストッパ１２ｅに規制されていて切欠き部６ｂ、７ｂは開放状態となっている（図９（Ａ）、図１０（Ａ）参照）。
この状態から、シャッターカーテン１が閉作動されると、ガイドレール５は徐々に垂下姿勢側に向けて下方揺動し、シャッターカーテン１はガイドレール５のガイド体６、７とのあいだに貫通ガイドされる状態となって下降する。このとき、作動アーム１０は倒伏姿勢を維持した状態となっており、支持ローラ９と補助体１１とがローラガイド１２ａを左右方向外方に向けて転動するように設定されている。ここで、支持ローラ９はガイド体６、７の先端縁部よりも基端側に軸承され、ガイドレール５は該軸承位置において座板１２に支持されるため、ガイドレール５が下動を開始したとき、座板１２はガイドレール５に対して相対上動してガイドレール５の先端部、つまり両ガイド体６、７の切欠き部６ｂ、７ｂを貫通することになる。この場合に、塞ぎ体１３は自重により下動しようとするが前記ストッパ１２ｅによる下動規制を受けている位置までは移動することがなく、塞ぎ体１３が座板１２の貫通の邪魔をするようなことがないように設定されている（図９（Ｂ）、図１０（Ａ）参照）。
【００１６】
さらにこの状態からシャッターカーテン１のさらなる閉作動がなされ、塞ぎ体１３がストッパ１２ｅから離間する（図９（Ｃ）参照）が、このとき塞ぎ体１３は、可動片１４ｄの第一案内部１４ｈ下端縁が座板前後方向両端面部１２ｄの上端縁に当接した状態で座板１２と共に下動する。この下動のとき、ガイドレール５は垂直姿勢側（間口外方側）に向けて揺動することになる結果、ガイドレール５に設けた可動片１４ｄもこの揺動に追従する移動をすることになって、第一案内部１４ｈは前後方向両端面部１２ｄから開口左右方向外方に向けての摺動抵抗を受けながら移動する。そしてこの摺動抵抗は、座板１２が下動するほど第一案内部１４ｈと前後方向両端面部１２ｄの上端縁との当接角度が大きくなるため、次第に大きくなって弾機１４ｅの付勢力よりも大きくなると、可動片１４ｄは切欠き部６ｂ、７ｂから突出する間口左右方向内方側に向けて拡開揺動する（図１０（Ｂ）参照）。この可動片１４ｄの拡開揺動が進み、可動片１４ｄがシャッターカーテン１のカーテン面に対して平行に近い状態にまで揺動すると今度は前記傾斜した第二案内部１４ｉが座板前後方向両端面部１２ｄの上端縁に当接して摺動することになって更なる摺動抵抗を受けて拡開揺動し（図１１（Ａ）参照）、第一対向部１４ｊが座板前後方向両端面部１２ｄに対して前後方向外側から当接する開放姿勢となって塞ぎ姿勢への復帰揺動が規制されて該開放姿勢に維持され、この姿勢を維持しながら塞ぎ体１３は座板１２と共に下動する（図９（Ｃ）（Ｄ）、図１１（Ｂ）、図１２（Ａ）参照）。尚、このとき、第一案内部１４ｈは前記カバー体端縁１３ｋに近接対向している。
【００１７】
そして塞ぎ体１３がさらに座板１２と共に下動して第一案内部１４ｈの下端部が段差凸部１３ｌの上端部に係止（当接）すると塞ぎ体１３の下動は規制されるが、座板１２は下動し続けることになる（図１２（Ｂ）、図１３（Ａ）参照）。この座板１２の単独下動により、可動体１４ｄの座板前後方向両端面部１２ｄに対する当接がなくなる（図１３（Ｂ）参照）ことになって可動体１４ｄは自由となって弾機１４ｅの付勢力を受けて塞ぎ姿勢に復帰揺動し、これに伴って第一案内部１４ｈの段差凸部１３ｌによる係止が解除されて、塞ぎ体１３は、可動体１４ｄが閉鎖姿勢の状態で座板１２に後追い状態で下動することになり、これによって切欠き部６ｂ、７ｂが閉鎖されるようになっている（図１３（Ｃ）参照）。
尚、図中、１３ｍは塞ぎパネル１４の上端部に設けられ、シャッターカーテン１が全閉姿勢となったときに可動体１４ｄの上端部とガイドレール内側面６ａ、７ａとのあいだを塞ぐ塞ぎ板、１５は異常検知に伴い天井面から垂れる防煙垂れ壁、１６は障害物検知をするためのコードリールである。
【００１８】
叙述の如く構成された本発明の実施の形態において、図示しない異常検知装置が火災等の異常検知をしたり操作スイッチを操作したりした場合、シャッターカーテン１は閉作動をすることになるが、このものでは、シャッターカーテン１の閉作動に伴い、天井部に収納されたガイドレール５は、座板１２の支持を受ける状態で下方揺動して水平姿勢から垂下姿勢になるが、ガイドレール５に形成されていて座板１２およびシャッターカーテン１が貫通する切欠き部６ｂ、７ｂはシャッターカーテン１が全閉状態になると共にガイドレール５が垂直姿勢になる過程で、塞ぎ体１３がスライド移動し、塞ぎパネル体１４の可動片１４ｄによって塞がれることになる。
【００１９】
この場合に、塞ぎ体１３がストッパ１２ｅから離間して座板１２と共に下動する過程に至ると、可動片１４ｄは、第一案内部１４ｈの下端が座板前後方向両面部１２ｄの上端に当接する状態の前記下動に加えて、ガイドレール５と一体に開口外方に向けて移動する要素が加わることになって、開口内方に向く摺動抵抗を受け弾機１４ｅの付勢力に抗して拡開揺動をする。そして可動片１４ｄの拡開揺動が進むと、座板前後方向両面部１２ｄの上端への当接が第二案内部１４ｉとなってさらなる可動片１４ｄの拡開揺動が促進され、第一対向部１４ｊが前後方向両端面部１２ｄに前後方向外方から当接することになって可動片１４ｄの塞ぎ姿勢側への復帰が規制されて該開放姿勢が維持され、この状態で塞ぎ体１３は座板１２と共に下動する。
【００２０】
そして塞ぎ体１３が段差凸部１３ｌに達すると、該段差凸部１３ｌの上端に第一案内部１４ｈの下端が当接することになって塞ぎ体１３の下動が規制され、座板１２が単独で下動する。この座板１２の下動に伴い、前後方向両端面１２ｄの第一案内部１４ｈの当接が解除されることになって可動片１４ｄは弾機１４ｅの付勢力を受けて開放姿勢から塞ぎ姿勢に復帰揺動することになり、これに合わせて段差凸部１３ｌによる第一案内部１４ｈの当接も解除され、塞ぎ体１３は、可動片１４ｄが塞ぎ姿勢の状態で後追いするかたちで下動することになり、これによって切欠き部６ｂ、７ｂは閉鎖されることになる。
【００２１】
この結果、座板１２が塞ぎ体１３と共に下動する際に、可動片１４ｄは、座板前後方向両端面部１２ｄに前後方向外側から当接する開放姿勢に維持されるため塞ぎ体１３が座板１２に食い込むようなことがない。そして塞ぎ体１３が切欠き部下部に設けた段差凸部１３ｌに達して塞ぎ体１３の下動が規制されると、可動片１４ｄの開放姿勢の維持およびが解除され、これに合わせて塞ぎ体１３の下動が許容されることになって塞ぎ体１３は座板１２に対して後追い状態で下動して切欠き部６ｂ、７ｂを確実に閉鎖することになる。
【００２２】
しかもこの場合に、可動片１４ｄの開放姿勢から塞ぎ姿勢への揺動は、該可動片１４ｄの揺動支軸１４ｇを開口外方側（左右方向外方側）に越えた揺動であるため、支点越え状態となって、シャッターカーテン１が閉鎖姿勢のときに排煙機等の作動で負圧になったときにシャッターカーテン１が可動片１４ｄを押したような場合に、可動片１４ｄの開放姿勢側への不用意な揺動を回避することができ、塞ぎ機能の向上を達成できる。
【００２３】
そしてこのものでは、前記開放姿勢に維持される可動片１４ｄを塞ぎ姿勢に復帰させると共に、これに合わせて下動停止をしている塞ぎ体１３の下動を再開させるための解除部が、塞ぎ体１３を覆蓋するためのカバー体１３ｈのシャッターカーテン側端縁１３ｋの下部に、該端縁１３ｋよりも突出するようにして設けた段差凸部１３ｌであるため、該解除部の構成が簡単になって構造の簡略化を図ることができる。
【００２４】
しかもこの場合に、可動片１４ｄの上端部と、ガイドレール５の切欠き部６ｂ、７ｂよりも上部位のガイドレール内側面６ａ、７ａとのあいだの隙間が塞ぎ板１３ｍによって塞がれることになって、遮蔽性の良いものとなる。
【００２５】
そのうえ可動片１４ｄを塞ぎ姿勢から開放姿勢に案内する部材が、座板１２の前後方向両端面部の上端縁であり、開放姿勢になったときに可動片１４ｄが当接する部位が、同じく座板１２の前後方向両端面部１２ｄであるから、部材の共通化か図れることになって構造の簡略化を図ることができる。
【００２６】
また可動片１４ｄは、塞ぎ姿勢において、揺動支軸１４ｇからシャッターカーテンのカーテン面に対して垂直状に延設される第一案内部１４ｈと、該第一案内部１４ｈの先端から先端側ほどガイドレール側に向けて傾斜する第二案内部１４ｉとを備えて構成され、開放姿勢に揺動する前半過程では前記カーテン面と垂直状態になっている第一案内部１４ｈが前後方向両端面部１２ｄに交差状に当接して可動片１４ｄを開放方向に揺動案内し、後半過程では前記傾斜する第二案内部１４ｉが交差状に当接して可動片１４ｄを開放方向に揺動案内することになるため、後半過程において可動片１４ｄがカーテン面に沿う方向を向いても開放方向への確実な案内ができることになって、操作性が向上する。
【産業上の利用可能性】
【００２７】
本発明は、ビル、工場等の建築物の大開口部や大部屋、地下通路等に防火、防煙区画を設けたりするための建築用防火シャッター装置としての利用可能性がある。
【符号の説明】
【００２８】
１    シャッターカーテン
５    ガイドレール
６、７  ガイド体
６ｂ、７ｂ  切欠き部
１３    塞ぎ体
１３ｈ  カバー体
１３ｋ  カバー体のシャッターカーテン側端縁
１３ｌ  段差凸部
１３ｍ  塞ぎ板
１４ｄ  可動片
１４ｅ  弾機
１４ｇ  支軸
１４ｈ  第一案内部
１４ｉ  第二案内部
【図１】
2015190225.tif 000003
【図２】
2015190225.tif 000004
【図３】
2015190225.tif 000005
【図４】
2015190225.tif 000006
【図５】
2015190225.tif 000007
【図６】
2015190225.tif 000008
【図７】
2015190225.tif 000009
【図８】
2015190225.tif 000010
【図９】
2015190225.tif 000011
【図１０】
2015190225.tif 000012
【図１１】
2015190225.tif 000013
【図１２】
2015190225.tif 000014
【図１３】
2015190225.tif 000015